(57)【要約】【課題】低コストで、開封後に蓋体を再封止できる。【解決手段】ヒートシール容器１０は、被包装物を収容する収容部の上端部から外周側に張り出すフランジ部２３を有する容器本体２０と、収容部を覆ってフランジ部２３に熱溶着する蓋体３０とを備える。フランジ部２３には、容器本体２０の内周側と外周側とを切り離し可能な切り込み２７を形成した。フランジ部２３の切り込み２７に突起状のノッチ部２８を有し、ノッチ部２８には切り込み部２７を挟んだ両側に係合片２９Ａ，２９Ｂを形成した。切り込み２７を切り離すことで係合片２９Ａ，２９Ｂが分離され、蓋体３０が容器本体２０から開封される。再封止時に、容器本体２０を蓋体３０で覆い、一方の係合片２９Ａの上に他方の係合片２９Ｂを載せ、係合片２９Ａを押圧すると係合片２９Ａが係合片２９Ｂを乗り越えて係合し、蓋体３０を容器本体２０に再封止する。【選択図】図６
2015227174.tif 000002
【特許請求の範囲】
【請求項１】
上方に開口して被包装物を収容する収容部および前記収容部の上端部から外周側に張り出すフランジ部を有する容器本体と、
前記収容部を塞いで前記フランジ部に熱溶着された蓋体と、を備え、
前記フランジ部に形成されていて前記フランジ部を前記容器本体の内周側と外周側とに切り離し可能とする切り込みと、
前記フランジ部において前記切り込みを挟んだ両側に形成され、前記切り込みを切り離すことによって前記フランジ部が内周側と外周側とに切り離された状態で、互いに係合可能な係合部と、
を備えていることを特徴とするヒートシール容器。
【請求項２】
前記係合部は、前記フランジ部の周方向の一部に一つまたは複数形成されていることを特徴とする請求項１に記載のヒートシール容器。
【請求項３】
前記フランジ部の周方向の一部に前記切り込みが形成されていない部分を有することを特徴とする請求項１または２に記載のヒートシール容器。
【請求項４】
前記フランジ部に、前記収容部の外周縁部に沿って形成されていて前記蓋体側に突出する凸条部と、
前記凸条部の外周側に沿って形成されていて下方に向けて凹んだ凹溝部と、が形成され、
前記切り込み及び前記係合部が前記凹溝部に形成されていることを特徴とする請求項１から３のいずれか一項に記載のヒートシール容器。
【請求項５】
請求項１から４のいずれか一項に記載のヒートシール容器の製造装置であって、
被包装物が収容された前記容器本体を供給する手段と、
前記供給された容器本体の前記収容部を塞ぐように蓋体を配置する手段と、
前記蓋体を前記収容部の外周部の前記フランジ部に熱溶着する手段と、
を備えていることを特徴とするヒートシール容器の製造装置。
【請求項６】
上方に開口して被包装物として食品を収容した収容部および前記収容部の上端部から外周側に張り出すフランジ部を有する容器本体と、
前記収容部を塞いで前記フランジ部に熱溶着された蓋体と、を備え、
前記フランジ部に形成されていて前記フランジ部を前記容器本体の内周側と外周側とに切り離し可能とする切り込みと、
前記フランジ部において前記切り込みを挟んだ両側に形成され、前記切り込みを切り離すことによって前記フランジ部が内周側と外周側とに切り離された状態で、互いに係合可能な係合部と、
を備えていることを特徴とするヒートシール容器入り食品。
【発明の詳細な説明】
【技術分野】
【０００１】
本発明は、被包装物を収容した容器本体の開口部に、フィルム状の蓋体を熱溶着してなるヒートシール容器、ヒートシール容器入り食品及びヒートシール容器の製造装置に関する。
【背景技術】
【０００２】
食品等を収容する場合に、未開封の状態の容器から収容された食品の汁や液体が漏れるのを防ぐために密閉容器が広く用いられている。密閉容器は、被包装物を収容する容器本体の開口部に対し、開口部を塞ぐ蓋体を密閉状態で熱溶着して装着する。
このような密閉容器の一種として、容器本体の開口部の周囲に、フィルム状の蓋体を熱溶着するヒートシール容器がある。このようなヒートシール容器は、容器本体内に被包装物を収容した状態で、開口部にフィルム状の蓋体を被せて、開口部の外周部と蓋体とを熱溶着する。容器を開封する際には、蓋体の外周部を掴んで容器本体から引き剥がす。これにより熱溶着した部分で容器本体と蓋体とが破断し、容器を開封することができる。
【０００３】
特許文献１には、容器本体の開口部の周囲にミシン目が入ったフランジ部が形成され、蓋体をフランジ部に対して被せて熱溶着した容器の構成が開示されている。そして、開封時には、このミシン目に沿ってフランジ部を切断し、ミシン目の外周側のフランジ部と蓋体とを一体化したまま開封する構成が開示されている。
【０００４】
また、特許文献２には、フィルム状の蓋体に、内外層からなる多層フィルムを積層して形成した容器本体の開口部外周側のフランジ部に沿って内層と外層に切り込みを形成した簡易ピール容器が提案されている。この容器の開封時には、フランジ部の内層と外層の切り込みに沿って多層フィルムをはがして蓋体と一体に容器本体のフランジ部を切断することで、フランジ部の一部が被着した蓋体を開封することができる構成が開示されている。
【先行技術文献】
【特許文献】
【０００５】
【特許文献１】特許第５０８２００８号公報
【特許文献２】特公平５−６７５０８号公報
【発明の概要】
【発明が解決しようとする課題】
【０００６】
しかし、被包装物の種類によってはガス（例えば窒素、二酸化炭素（炭酸ガス）、酸素あるいはこれらの混合気）を充填することがあるが、従来のヒートシール容器では、密封性が低くフランジ部のミシン目から充填したガスが漏れるおそれがあった。また、蓋体を開封した後は、熱溶着部が剥がれてしまうため、蓋体を再封止（リクローズ）することができなかった。したがって、ヒートシール容器の開封後に、食べきれずに残った食品等の被包装物を保存する場合には、被包装物を別の容器に移す等の手間がかかるため、使用者にとって煩雑である上に別の容器を使用後に洗浄しなければならないという問題があった。
【０００７】
また、蓋体を容器本体のフランジ部に対して粘着させることによって、蓋体を閉じることもできるが、粘着部に、容器に収容していた食品等の汁や液体等が付着すると粘着性が損なわれやすい上に不衛生になるという欠点がある。
【０００８】
本発明はこのような実情に鑑みてなされたものであり、低コストで、ヒートシール後の容器の密封性が高く、開封後に蓋体を確実に再封止することのできるヒートシール容器とヒートシール容器入り食品及びヒートシール容器の製造装置を提供することを目的とする。
【課題を解決するための手段】
【０００９】
本発明に係るヒートシール容器は、上方に開口して被包装物を収容する収容部および前記収容部の上端部から外周側に張り出すフランジ部を有する容器本体と、前記収容部を塞いで前記フランジ部に熱溶着された蓋体とを備え、前記フランジ部に形成されていて前記フランジ部を前記容器本体の内周側と外周側とに切り離し可能とする切り込みと、前記フランジ部において前記切り込みを挟んだ両側に形成され、前記切り込みを切り離すことによって前記フランジ部が内周側と外周側とに切り離された状態で、互いに係合可能な係合部と、を備えていることを特徴とする。
本発明によれば、ヒートシール後における容器の密封性が高く、被包装物の種類によって充填したガス（例えば窒素、二酸化炭素（炭酸ガス）、酸素あるいはこれらの混合気）の漏れや、容器に収容した被包装物からの液漏れ等を防止することができ、密閉状態の容器を開封するときには、切り込みに沿ってフランジ部を蓋体と共に容器本体の内周側と外周側とに切り離す。すると、フランジ部の外周側と蓋体とが一体のまま開き、開口を通して容器本体の収容部内の被包装物を取り出すことが可能となる。そして、開封後に再び蓋体を閉じるには、容器本体の開口を蓋体で塞いで切り込みを挟んで両側に形成された係合部どうしを互いに係合させる。これによって、蓋体を容器本体に再封止できる。
【００１０】
また、本発明によるヒートシール容器では、前記係合部は、前記フランジ部の周方向の一部に一つまたは複数形成されていてもよい。
容器本体に蓋体を覆って、１または複数の係合部同士を係合させることで再封止できる。
【００１１】
また、本発明によるヒートシール容器では、フランジ部の周方向の一部に切り込みが形成されていない部分を有するようにしてもよい。
フランジ部の周方向の一部に切り込みを形成しない部分を残すことで、切り込みの部分でフランジ部を内周側と外周側とに切り離して蓋体を開いても、蓋体およびフランジ部は、切り込みが形成されていない部分で容器本体に繋がった状態となる。これにより、蓋体が容器本体に繋がった部分を蝶番のように機能させ、蓋体の開閉動作を容易に行うとともに、蓋体が容器本体と分離しない。
【００１２】
また、本発明によるヒートシール容器では、フランジ部に、前記収容部の外周縁部に沿って形成されていて前記蓋体側に突出する凸条部と、前記凸条部の外周側に沿って形成されていて下方に向けて凹んだ凹溝部とが形成され、前記切り込み及び前記係合部が前記凹溝部に形成されていてもよい。
このように、収容部の外周縁部に凸条部が形成されることで、容器本体の収容部内に収容された被収容物の液体がこぼれることを防いで、凹溝部で蓋体の切り離しと再封止を繰り返して行うことができる。
【００１３】
また、本発明によるヒートシール容器では、前記容器本体の側面部に、側面部が変形することを抑える補強部が形成されていてもよい。
これにより、蓋体を開封するときや蓋体を再封止するとき等に容器本体に荷重がかかっても、容器本体の外周側面部が変形するのを抑えて係合部の係脱を行なうことができる。
【００１４】
また、本発明によるヒートシール容器の製造装置は、上述したいずれかに記載のヒートシール容器の製造装置であって、被包装物が収容された容器本体を供給する手段と、供給された容器本体の収容部を塞ぐように蓋体を配置する手段と、蓋体を収容部の外周部のフランジ部に熱溶着する手段と、を備えていることを特徴とする。
本発明によれば、フランジ部と切り込みと係合部を備えた容器本体を供給し、被収容物を容器本体内に収容して蓋体を被せてフランジ部と熱溶着することで封止されたヒートシール容器を製造することができる。そして、蓋体を切り込みで容器本体と切り離した後も係合部で再封止することができる。
【００１５】
また、本発明によるヒートシール容器入り食品は、上方に開口して被包装物として食品を収容した収容部および収容部の上端部から外周側に張り出すフランジ部を有する容器本体と、収容部を塞いでフランジ部に熱溶着された蓋体と、を備え、フランジ部に形成されていてフランジ部を容器本体の内周側と外周側とに切り離し可能とする切り込みと、フランジ部において切り込みを挟んだ両側に形成され、切り込みを切り離すことによってフランジ部が内周側と外周側とに切り離された状態で、互いに係合可能な係合部と、を備えていることを特徴とする。
本発明によるヒートシール容器入り食品は、フランジ部に形成した切り込みを分離切断した開封して食品を取り出した後、容器本体に残った食品を封入するために、容器本体の開口に蓋体を被せてフランジ部の内周側と外周側の係合部を係合させることで再封止できる。そして、再使用時に、フランジ部の係合部を分離することで蓋体を再度開封して容器本体内に残った食品を取り出すことができる
【発明の効果】
【００１６】
本発明に係るヒートシール容器とヒートシール容器入り食品とヒートシール容器の製造装置によれば、低コストで、しかも簡単な構成で、ヒートシール後の容器の密封性が高く、蓋体を開封した後にヒートシール容器の蓋体を係合部で簡単且つ確実に再封止することができる。また、再封止できる蓋体は、フランジ部に係合部を形成することで実現でき、別の蓋体等を用意する必要がない。
【図面の簡単な説明】
【００１７】
【図１】本発明の第１実施形態における、ヒートシール容器の全体構成を示す斜視図である。
【図２】図１に示すヒートシール容器のＡ−Ａ線縦断面図である。
【図３】図２に示すフランジ部のＢ部拡大断面図である。
【図４】本発明の第１実施形態における、ヒートシール容器の下面図である。
【図５】本発明の第１実施形態における、ヒートシール容器の係合部を示す図４のＣ−Ｃ線断面図であり、（ａ）は切り込みを切り離す前の状態の係合部を示す断面図、（ｂ）は切り込みを切り離した状態の係合部を示す断面図である。
【図６】本発明の第１実施形態における、ヒートシール容器の係合部の再封止工程を示す図であり、（ａ）は開封後の再封止する際に、係合片同士が当接した状態を示す断面図、（ｂ）は係合片同士を係合させた再封止状態を示す断面図である。
【図７】本発明の第１実施形態における、ヒートシール容器の変形例を示す下面図である。
【図８】本発明の第２実施形態における、ヒートシール容器を示すもので、図１０のＤ−Ｄ線断面図である。
【図９】図８に示すヒートシール容器のＥ部拡大断面図である。
【図１０】本発明の第２実施形態における、ヒートシール容器の下面図である。
【図１１】ヒートシール容器の係合部を示す図１０のＦ−Ｆ線断面図である。
【発明を実施するための形態】
【００１８】
以下、添付図面を参照して、本発明によるヒートシール容器及びその容器入り食品、そしてヒートシール容器の製造装置を実施するための形態を説明する。
（第１実施形態）
本発明の第１実施形態によるヒートシール容器１０について図１乃至図６により説明する。図１及び図２に示すように、本実施形態によるヒートシール容器１０は、容器本体２０と、蓋体３０とを備えており、容器本体２０の内部に食品等の被収容物が収容されて蓋体３０によって熱溶着で密封されている。
【００１９】
図２〜図４に示すように、容器本体２０は、樹脂製で、例えば平面視矩形状をなしている。容器本体２０は、矩形状の底板部２１と、底板部２１の外周部全周から上方に立ち上がる外周側面部（側面部）２２と、外周側面部２２の上端部２２ｔから容器本体２０の外周側に張り出すフランジ部２３と、が一体に形成されている。容器本体２０は、底板部２１と、外周側面部２２とにより、上方に開口した有底開口容器であり、食品等の被包装物を内部に収容する収容部２４が形成されている。
また、四面をなす各外周側面部２２には、容器本体２０の外方に向けて突出する補強凸部（補強部）２２ｒが形成されている。補強凸部２２ｒは、下方から上方に向かうにしたがってその幅が漸次広くなるよう略Ｖ字状またはＵ字状に突出形成されている。この補強凸部２２ｒにより、外周側面部２２の面外方向への変形が抑えられ、その強度が高められている。
【００２０】
フランジ部２３には、外周側面部２２の上端部２２ｔから外周側に延びた位置に、容器本体２０の開口に沿った周方向に連続する凹溝部２５が形成されている。図３に示すように、凹溝部２５は、断面視でフランジ部２３から直交して下方に延びる一対の側壁部２５ａと、これら一対の側壁部２５ａ，２５ａ間に設けられた底板部２５ｂと、を有する断面略Ｕ字状をなしている。
このような凹溝部２５は、平面視矩形の容器本体２０の略四角形状の開口の四辺のうちの三辺に沿うフランジ部２３に連続して形成されている。また、この凹溝部２５により、フランジ部２３には、凹溝部２５に対して容器本体２０の開口の内周側に、上方に凸となる凸条部２６が形成されている。
【００２１】
また、凹溝部２５の底板部（底部）２５ｂには、例えば溝幅方向中央部に、凹溝部２５が連続する方向に沿って切り込み２７が形成されている。この切り込み２７は、例えば凹溝部２５の底板部２５ｂの厚さ方向に形成した例えばＶ字状の溝を有するミシン目や、凹溝部２５の底板部２５ｂを厚さ方向に貫通する長いスリットを凹溝部２５が連続する方向に沿って小さい間隔を開けて多数形成する切れ目である。
【００２２】
また、図４に示すように、フランジ部２３には、容器本体２０の三辺に沿って形成された凹溝部２５の一部に、下方に突出する突部からなるノッチ部２８が形成されている。この実施形態において、ノッチ部２８は、凹溝部２５が形成されていないフランジ部２３の一辺２３ｚに対向する辺の中央部に形成されている。
【００２３】
図５（ａ）に示すように、このノッチ部２８において、凹溝部２５の底板部２５ｂは、下方に向けて断面略半円状に膨出した膨出部２８ｂが形成されている。そして、膨出部２８ｂは、切り込み２７によって、凹溝部２５の溝幅方向に二つに分割可能とされている。この膨出部２８ｂは、切り込み２７の一方の側と他方の側とで、後述するように互いに係合可能な係合片（係合部）２９Ａ，２９Ｂを形成している。
図５（ｂ）に示すように、このような係合片２９Ａ，２９Ｂは、凹溝部２５の側壁部２５ａと底板部２５ｂとからなる断面Ｌ字状で、フランジ部２３の外周部を外側に撓ませることによって、係合片２９Ａ，２９Ｂどうしが離間する方向に弾性変形できるようになっている。
【００２４】
蓋体３０は、熱溶着性の樹脂材料からなるフィルム状である。フランジ部２３において、凹溝部２５よりも外周側の熱溶着部２３ｎに熱溶着されている。ここで、図４に示すように、フランジ部２３の一つの角部から外周側に張り出すタブ部２３ｔが形成され、蓋体３０にもタブ部２３ｔに重なる同一形状のタブ部３０ｔが形成されている。なお、タブ部２３ｔ、３０ｔは複数の角部に形成されていてもよく、また、フランジ部２３と蓋体３０の一方にのみタブ部２３ｔ、３０ｔを形成してもよい。
【００２５】
次に、本実施形態によるヒートシール容器１０の製造装置による製造方法を説明すると、まず、ヒートシール容器１０の製造ラインの上流側において、樹脂製シートをプレス成型し、または樹脂製シートを型枠の上方に位置させて、型枠の下方に設けた吸引口よりバキューム（吸引）装置により吸引することによって容器本体２０を成形する。次に、包装ラインの中流段階で容器本体２０内に食品等の被収容物を収容した後、食品等の被包装物が収容された容器本体２０を包装ライン下流側へ供給し、容器本体２０の収容部２４の開口を塞ぐように樹脂フィルムからなる蓋体３０を被せる。
なお、容器本体２０を成形する機構を備えていないヒートシール容器１０の製造装置の場合、包装ラインの上流側で、食品等の被包装物が収容された容器本体２０を包装ライン下流側へ供給する容器供給手段を備え、容器供給手段から供給された被包装物が収容された容器本体２０の収容部２４の開口を塞ぐように樹脂フィルムからなる蓋体３０（蓋用フィルム）で被覆するようにしてもよい。
次に、熱溶着手段によって、蓋体３０を、容器本体２０における収容部２４の外周側のフランジ部２３に熱溶着することで、ヒートシール容器１０を製造できる。このとき、凸条部２６の頂面も蓋体３０と熱溶着する。これにより、ヒートシール容器１０は容器本体２０の収容部２４が蓋体３０によって気密または液密に封止されている。
【００２６】
しかも、フィルム状の蓋体３０を容器本体２０のフランジ部２３に熱溶着することで、蓋体３０が熱収縮して容器本体２０が内側に引っ張られ、ノッチ部２８の係合片２９Ａ、２９Ｂ同士が圧縮されて当接しており、強度が高い。
なお、多数のヒートシール容器１０を連続的に包装処理する場合には、例えば特開２０１２−２３６６１５号公報に開示のヒートシール包装装置等を用いることが可能である。
【００２７】
そして、使用時に、密閉状態のヒートシール容器１０を開封するには、容器本体２０を固定した状態で、タブ部２３ｔをつかみ、蓋体３０と共に上方に引き上げる。すると、蓋体３０が熱溶着された容器本体２０のフランジ部２３が、切り込み２７に沿って切断される。これにより、蓋体３０が開いて開封状態となる。このとき、図５（ｂ）に示すように、フランジ部２３において切り込み２７よりも外周側の熱溶着部２３ｎは、蓋体３０に溶着されたまま一体化している。そして、ノッチ部２８は、係合片２９Ａ，２９Ｂが切り込み２７で切り離される。
このようにして蓋体３０を開封した状態で、蓋体３０は、切り込み２７が形成されていない一辺２３ｚにおいて、容器本体２０のフランジ部２３に熱溶着されたまま一体化している。したがって、蓋体３０を開封しても、蓋体３０が容器本体２０から分離することがない。
【００２８】
蓋体３０を開封した状態では、容器本体２０の収容部２４の外周縁部には、上方に突出した凸条部２６が形成されている。これにより、収容部２４内に収容された食品等の汁や液体が収容部２４の外部に漏出するのを防ぐことができる。
【００２９】
次に、蓋体３０を開封した後に蓋体３０を再封止（リクローズ）するには、ノッチ部２８の、係合片２９Ａ，２９Ｂを互いに係合させればよい。即ち、図６（ａ）に示すように、容器本体２０の開口を蓋体３０で閉じて、容器本体２０の係合片２９Ａ上に蓋体３０の係合片２９Ｂを載せる。次いで、蓋体３０の外周部および蓋体３０に溶着されているフランジ部２３を押さえながら、ノッチ部２８の係合片２９Ａを蓋体３０の２９Ｂに対して上方に向けて押圧する。すると、図６（ｂ）に示すように、係合片２９Ａが係合片２９Ｂを乗り越えて上下入れ替わり、内周側の係合片２９Ａの下側に外周側の係合片２９Ｂが嵌まり込み、係合片２９Ａ，２９Ｂが互いに係合した状態になる。互いに係合する係合片２９Ａ，２９Ｂによって、開封後の蓋体３０は容器本体２０に閉塞された再封止状態になる。
【００３０】
この後、蓋体３０を再び開くには、蓋体３０に溶着されたフランジ部２３を外側に開くことで、図５（ｂ）に示すように、容器本体２０のノッチ部２８の係合片２９Ａに対して、蓋体３０に溶着されたフランジ部２３の他方の係合片２９Ｂが外側に分離するため、係合片２９Ａ，２９Ｂの係合が解除される。これにより、蓋体３０を再開封できる。
なお、蓋体３０の再封止に際し、容器本体２０の係合片２９Ａの下に蓋体３０の係合片２９Ｂを載せ、係合片２９Ｂを係合片２９Ａに対して上方に向けて押圧して乗り越えるようにしても係合片２９Ａ，２９Ｂを係合させて再封止するようにしてもよい。
【００３１】
上述したように、本実施形態によるヒートシール容器１０によれば、密閉状態のヒートシール容器１０を開封するときには、切り込み２７に沿ってフランジ部２３を容器本体２０の内周側と外周側とに切り離すことで、蓋体３０をフランジ部２３の熱溶着部２３ｎと一体のまま開封でき、容器本体２０の収容部２４内の被包装物を取り出すことが可能となる。
また、開封後に残った食品等を容器本体２０に収納した状態で、蓋体３０を再封止するには、蓋体３０で容器本体２０の開口を閉鎖させて係合片２９Ａ，２９Ｂ同士を上下に当接させた後に、押し込んで上下位置を入れ替えることで互いに係合させて再封止できる。
そのため、本実施形態によるヒートシール容器１０によれば、容器本体２０のフランジ部２３の切り込み２７にノッチ部２８を設けて係合片２９Ａ，２９Ｂを形成することで再封止可能であり、別体の蓋等を用意する必要がない。したがって、低コストで、開封後にヒートシール容器１０の蓋体３０を確実に再封止することが可能となる。
【００３２】
また、フランジ部２３の周方向の一部に切り込み２７を形成しない構成としたことで、蓋体３０を容器本体２０から切り込み２７の部分で切り離しても、切り込み２７を形成しない部分（辺２３ｚ）で容器本体２０に繋がった状態となる。これにより、蓋体３０が容器本体２０に繋がった部分を蝶番のように機能させ、蓋体３０の開閉動作を容易に行うとともに、蓋体３０が容器本体２０から分離することを防ぐことができる。
【００３３】
また、収容部２４の外周縁部に凸条部２６が形成されているので、容器本体２０の収容部２４内に収容された食品等の被収容物の液体や、充填したガス（例えば窒素、二酸化炭素（炭酸ガス）、酸素あるいはこれらの混合気）が凹溝部２５や外部にこぼれる（漏れる）ことを防止できる。
また、容器本体２０の外周側面部２２に補強凸部２２ｒを形成したから、外周側面部２２の強度が向上し、蓋体３０の開封時や蓋体３０の再封止時に荷重をかけても容器本体２０の外周側面部２２が変形することを抑えることができる。したがって、蓋体３０の開閉作業を簡単且つ確実に行うことができる。
【００３４】
なお、本発明によるヒートシール容器は、上述した実施形態に限定されるものではなく、本発明の要旨を逸脱しない限り、上記実施の形態の構成を適宜置換したり変更したりすることができる。以下に、本発明によるヒートシール容器の変形例や他の実施形態について説明するが、上述した実施形態と同一または同様な部品や部分等については同一の符号を用いて説明する。
【００３５】
（第１実施形態の変形例）
上記第１実施形態では、凹溝部２５および切り込み２７を、平面視矩形の容器本体２０の四辺のうちの三辺に沿って形成したが、これに限らない。
図７は、第１実施形態によるヒートシール容器の変形例を示す下面図である。
図７に示すように、凹溝部２５、凸条部２６および切り込み２７を、平面視矩形の容器本体２０のフランジ部２３の全周にわたって連続形成してもよい。
また、上述した実施形態では、ノッチ部２８を凹溝部２５の一辺の中央部にのみ設けたが、これに限らない。例えば、図７に示すようにノッチ部２８を容器本体２０の各角部に設けてもよい。
【００３６】
（第２実施形態）
次に、本発明の第２実施形態によるヒートシール容器４０について図８乃至図１１によって説明する。
上記第１実施形態では、フランジ部２３に凹溝部２５を形成したが、本第２実施形態によるヒートシール容器４０では、図８〜図１１に示すように、凹溝部２５を形成せず、フランジ部２３を平板状に形成した。
【００３７】
しかも、本実施形態によるヒートシール容器４０において、フランジ部２３には、フランジ部２３が連続する方向に沿って切り込み３７が形成されている。この切り込み３７として、フランジ部２３の厚さ方向に形成した例えばＶ字状の溝を有するミシン目や、フランジ部２３を厚さ方向に貫通するスリットをフランジ部２３が連続する方向に沿って小さな間隔をあけて多数形成する切れ目等を形成してもよい。
【００３８】
また、図１０に示すように、断面四角形状の容器本体５０において、四辺に形成された各フランジ部２３の一部にノッチ部３８がそれぞれ形成されている。図１０に示す例では、ノッチ部３８はフランジ部２３の四辺のそれぞれの中央部に形成されている。
図１１に示すように、各辺のフランジ部２３に設けたノッチ部３８において、下方に向けて断面略半円状に膨出した膨出部３８ｂが形成されている。そして、膨出部３８ｂは、切り込み３７によって、フランジ部２３の幅方向に二つに分割可能とされている。この膨出部３８ｂは、切り込み２７の一方の側と他方の側とで、後述するように互いに係合可能な係合片（係合部）３９Ａ，３９Ｂを構成している。
【００３９】
本実施形態による、密閉状態のヒートシール容器４０を開封するには、フランジ部２３の外周部に形成されたタブ部２３ｔおよび蓋体３０のタブ部３０ｔをつかみ、上方に引き上げる。すると、容器本体５０のフランジ部２３が、切り込み３７に沿って切断される。このとき、フランジ部２３において切り込み３７よりも外周側の熱溶着部２３ｎは、蓋体３０に溶着されたまま一体化している。また、ノッチ部３８においては、係合片３９Ａ，３９Ｂが切り込み３７で切り離される。
【００４０】
蓋体３０を開封した後に蓋体３０を再封止（リクローズ）するには、ノッチ部３８の係合片３９Ａ，３９Ｂを互いに係合させる。即ち、図６に示す再封止工程と同様に、蓋体３０を閉じて内周側の係合片３９Ａ上に外周側の係合片３９Ｂを載せる。次いで、蓋体３０および容器本体５０を押さえながら、ノッチ部３８の係合片３９Ａを上方に押圧すると、内周側の係合片３９Ａが外周側の係合片２９Ｂを乗り越えて上下位置が入れ替わり、内周側の係合片３９Ａの下側に外周側の係合片３９Ｂが嵌まり込み、係合片３９Ａ，３９Ｂが互いに係合する。
これにより、開封後の蓋体３０を再封止することができる。
【００４１】
この後、蓋体３０を再開封するには、蓋体３０の外周部と溶着されたフランジ部２３を外側上方に向けて開けば、外周側の係合片３９Ｂが内周側の係合片３９Ａから離れて係合片３９Ａ，３９Ｂの互いの係合が解除される。これにより、蓋体３０を再開封することができる。
【００４２】
上述したように本第２実施形態によるヒートシール容器４０によれば、容器本体５０のフランジ部２３が平板状であるから、製造時におけるフィルム状の蓋体３０との熱溶着をより確実に広い面積にわたって行うことができるので、製造が比較的容易で高強度で封止できる。
しかも、開封後に再封止するには、容器本体５０のフランジ部２３と蓋体３０の外周部とが共に平面状であるため、片方の手で容器本体５０のフランジ部２３と蓋体３０を挟んで、互いに上下位置で当接する係合片３９Ａと係合片３９Ｂどうしを押圧することで、容易に上下位置を切り替えて係合させて再封止できる。
したがって、上記第１実施形態と比較して、より低コストでヒートシール容器４０を製造することができて、再封止の作業が一層容易である。
【００４３】
（その他の実施形態）
なお、本発明のヒートシール容器、ヒートシール容器入り食品、ヒートシール容器の製造装置は、図面を参照して説明した上述の各実施形態に限定されるものではなく、様々な変形例が考えられる。
例えば、上記各実施形態では、容器本体２０は平面視矩形状をなしているが、その平面視形状については何ら限定するものではなく、平面視円形状、楕円形状、多角形状等、任意の形状であってもよい。
また、ノッチ部２８，３８の位置、設置数等は、任意の数を設定してもよい。
さらに、補強凸部２２ｒにより容器本体２０の外周側面部２２の面外方向への変形を抑えるようにしたが、補強凸部２２ｒは必ずしも設けなくてもよい。
【符号の説明】
【００４４】
１０、４０    ヒートシール容器
２０、５０    容器本体
２１    底板部
２２    外周側面部（外周側面部）
２２ｔ    上端部
２２ｒ    補強凸部（補強部）
２３    フランジ部
２３Ｌ    縁部
２４    収容部
２５    凹溝部
２５ｂ    底板部（底部）
２６    凸条部
２７    切り込み
２８，３８    ノッチ部
２９Ａ，２９Ｂ、３９Ａ，３９Ｂ    係合片（係合部）
３０    蓋体
【図１】
2015227174.tif 000003
【図２】
2015227174.tif 000004
【図３】
2015227174.tif 000005
【図４】
2015227174.tif 000006
【図５】
2015227174.tif 000007
【図６】
2015227174.tif 000008
【図７】
2015227174.tif 000009
【図８】
2015227174.tif 000010
【図９】
2015227174.tif 000011
【図１０】
2015227174.tif 000012
【図１１】
2015227174.tif 000013
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
上方に開口して被包装物を収容する収容部および前記収容部の上端部から外周側に張り出すフランジ部を有する容器本体と、
前記収容部を塞いで前記フランジ部に熱溶着された蓋体と、を備えたヒートシール容器であって、
前記フランジ部において下方に向けて断面略半円状に湾曲形成させた膨出部と、
前記膨出部の略中央に形成して前記容器本体の内周側と外周側とに切り離し可能とする切り込みと、
前記膨出部において前記切り込みを切り離すことによって互いに係合可能な内周側と外周側の係合片を形成する係合部とを備え、
再封止に際し、前記切り込みで切り離した前記内周側と外周側の係合片同士を上下に当接させて押圧することで上下位置を入れ替えて互いに係合させるようにしたことを特徴とするヒートシール容器。
【請求項２】
前記係合部は、前記フランジ部の周方向の一部に一つまたは複数形成されていることを特徴とする請求項１に記載のヒートシール容器。
【請求項３】
前記フランジ部の周方向の一部に前記切り込みが形成されていない部分を有することを特徴とする請求項１または２に記載のヒートシール容器。
【請求項４】
前記フランジ部に、前記収容部の外周縁部に沿って形成されていて前記蓋体側に突出する凸条部と、
前記凸条部の外周側に沿って形成されていて下方に向けて凹んだ凹溝部と、が形成され、
前記切り込み及び前記係合部を備えた膨出部が前記凹溝部に形成されていることを特徴とする請求項１から３のいずれか一項に記載のヒートシール容器。
【請求項５】
請求項１から４のいずれか一項に記載のヒートシール容器の製造装置であって、
被包装物が収容された前記容器本体を供給する手段と、
前記供給された容器本体の前記収容部を塞ぐように蓋体を配置する手段と、
前記蓋体を前記収容部の外周部の前記フランジ部に熱溶着する手段と、
を備えていることを特徴とするヒートシール容器の製造装置。
【請求項６】
上方に開口して被包装物として食品を収容した収容部および前記収容部の上端部から外周側に張り出すフランジ部を有する容器本体と、
前記収容部を塞いで前記フランジ部に熱溶着された蓋体と、を備えたヒートシール容器入り食品であって、
前記フランジ部において下方に向けて断面略半円状に湾曲形成させた膨出部と、
前記膨出部の略中央に形成して前記容器本体の内周側と外周側とに切り離し可能とする切り込みと、
前記膨出部において前記切り込みを切り離すことによって互いに係合可能な内周側と外周側の係合片を形成する係合部とを備え、
再封止に際し、前記切り込みで切り離した前記内周側と外周側の係合片同士を上下に当接させて押圧することで上下位置を入れ替えて互いに係合させるようにしたことを特徴とするヒートシール容器入り食品。
【手続補正２】
【補正対象書類名】明細書
【補正対象項目名】０００９
【補正方法】変更
【補正の内容】
【０００９】
本発明に係るヒートシール容器は、上方に開口して被包装物を収容する収容部および前記収容部の上端部から外周側に張り出すフランジ部を有する容器本体と、前記収容部を塞いで前記フランジ部に熱溶着された蓋体とを備えたヒートシール容器であって、前記フランジ部において下方に向けて断面略半円状に湾曲形成させた膨出部と、前記膨出部の略中央に形成して前記容器本体の内周側と外周側とに切り離し可能とする切り込みと、前記膨出部において前記切り込みを切り離すことによって互いに係合可能な内周側と外周側の係合片を形成する係合部とを備え、再封止に際し、前記切り込みで切り離した前記内周側と外周側の係合片同士を上下に当接させて押圧することで上下位置を入れ替えて互いに係合させるようにしたことを特徴とする。
本発明によれば、ヒートシール後における容器の密封性が高く、被包装物の種類によって充填したガス（例えば窒素、二酸化炭素（炭酸ガス）、酸素あるいはこれらの混合気）の漏れや、容器に収容した被包装物からの液漏れ等を防止することができ、密閉状態の容器を開封するときには、切り込みに沿ってフランジ部の膨出部を蓋体と共に容器本体の内周側と外周側とに切り離す。すると、フランジ部の外周側と蓋体とが一体のまま開き、開口を通して容器本体の収容部内の被包装物を取り出すことが可能となる。そして、開封後に再び蓋体を閉じるには、容器本体の開口を蓋体で塞いで切り込みを挟んで両側に形成された内周側と外周側の係合片同士を互いに係合させる。これによって、蓋体を容器本体に再封止できる。
【手続補正３】
【補正対象書類名】明細書
【補正対象項目名】００１２
【補正方法】変更
【補正の内容】
【００１２】
また、本発明によるヒートシール容器では、フランジ部に、前記収容部の外周縁部に沿って形成されていて前記蓋体側に突出する凸条部と、前記凸条部の外周側に沿って形成されていて下方に向けて凹んだ凹溝部とが形成され、前記切り込み及び前記係合部を備えた膨出部が前記凹溝部に形成されていてもよい。
このように、収容部の外周縁部に凸条部が形成されることで、容器本体の収容部内に収容された被収容物の液体がこぼれることを防いで、凹溝部で蓋体の切り離しと再封止を繰り返して行うことができる。
【手続補正４】
【補正対象書類名】明細書
【補正対象項目名】００１５
【補正方法】変更
【補正の内容】
【００１５】
また、本発明によるヒートシール容器入り食品は、上方に開口して被包装物として食品を収容した収容部および収容部の上端部から外周側に張り出すフランジ部を有する容器本体と、収容部を塞いでフランジ部に熱溶着された蓋体と、を備えたヒートシール容器入り食品であって、フランジ部において下方に向けて断面略半円状に湾曲形成させた膨出部と、膨出部の略中央に形成して前記容器本体の内周側と外周側とに切り離し可能とする切り込みと、膨出部において前記切り込みを切り離すことによって互いに係合可能な内周側と外周側の係合片を形成する係合部とを備え、再封止に際し、前記切り込みで切り離した前記内周側と外周側の係合片同士を上下に当接させて押圧することで上下位置を入れ替えて互いに係合させるようにしたことを特徴とする。
本発明によるヒートシール容器入り食品は、フランジ部に形成した切り込みを分離切断し開封して食品を取り出した後、容器本体に残った食品を封入するために、容器本体の開口に蓋体を被せてフランジ部の内周側と外周側の係合片同士を係合させることで再封止できる。そして、再使用時に、フランジ部の係合片同士を分離することで蓋体を再度開封して容器本体内に残った食品を取り出すことができる。